(57)【要約】【課題】  リード線がリフレクタの端に接触して損傷を受けるのを防止することができるバックライトユニットを提供する。【解決手段】  液晶表示装置用のバックライトユニット１０は、細長のランプ１１と、それを収容するように設けられた細長で且つ側方に開口した断面コの字状のリフレクタ１２と、ランプ１１の一端に取り付けられると共にリフレクタ１２の端部に一部分がリフレクタ１２の端から突出するように設けられてランプ１１をリフレクタ１２に保持した弾性ホルダ１４と、リフレクタ１２の外側を長さ方向に沿って延びるように設けられるのに続いて弾性ホルダ１４のリフレクタ１２の端から突出した部分１４ａに挿通されてランプ１１に電気的に接続されたリード線１６と、を備える。弾性ホルダ１４には、リード線１６のリフレクタ１２の端への接触を阻止するリード線接触阻止手段１４ｃが設けられている。【選択図】図１
2006302564.tif 000002
【特許請求の範囲】
【請求項１】
細長のランプと、
上記ランプを収容するように設けられた細長で且つ側方に開口した断面コの字状のリフレクタと、
上記ランプの一端に取り付けられると共に上記リフレクタの端部に一部分が該リフレクタの端から突出するように設けられて該ランプを該リフレクタに保持した弾性ホルダと、
上記リフレクタの外側を長さ方向に沿って延びるように設けられるのに続いて上記弾性ホルダの該リフレクタの端から突出した部分に挿通されて上記ランプに電気的に接続されたリード線と、
を備え、
上記弾性ホルダには、上記リード線の上記リフレクタの端への接触を阻止するリード線接触阻止手段が設けられている液晶表示装置用のバックライトユニット。
【請求項２】
請求項１に記載されたバックライトユニットにおいて、
上記リード線接触阻止手段は、上記弾性ホルダに立設され上記リード線に押圧されて上記リフレクタの端部を覆うように弾性変形したリード線接触阻止壁により構成されているバックライトユニット。
【請求項３】
請求項１に記載されたバックライトユニットにおいて、
上記リード線接触阻止手段は、上記弾性ホルダに形成されたリフレクタ端部嵌合部により構成されているバックライトユニット。
【請求項４】
液晶表示パネルと、
上記液晶表示パネルの後方に設けられたバックライトユニットと、
を備えた液晶表示装置であって、
上記バックライトユニットは、
細長のランプと、
上記ランプを収容するように設けられた細長で且つ側方に開口した断面コの字状のリフレクタと、
上記ランプの一端に取り付けられると共に上記リフレクタの端部に一部分が該リフレクタの端から突出するように設けられて該ランプを該リフレクタに保持した弾性ホルダと、
上記リフレクタの外側を長さ方向に沿って延びるように設けられるのに続いて上記弾性ホルダの該リフレクタの端から突出した部分に挿通されて上記ランプに電気的に接続されたリード線と、
を備え、
上記弾性ホルダには、上記リード線の上記リフレクタの端への接触を阻止するリード線接触阻止手段が設けられている液晶表示装置。
【発明の詳細な説明】
【技術分野】
【０００１】
本発明は、バックライトユニット及びそれを備えた液晶表示装置に関する。
【背景技術】
【０００２】
ノート型のパソコンでは、携帯性向上のために小型化が常に要求されている。これに伴い、ノート型のパソコンに内蔵される液晶表示装置に対しても小型化が要求されている。そのため、液晶表示装置に組み込まれるバックライトユニットの小型化について様々な手段が考えられている。
【０００３】
例えば、特許出願１には、側端面が入光面とされた導光板と、その入光面である側端面に沿って横方向に設けられた線状光源と、その線状光源の長手方向一端側に接続された電線とを有し、その電線が線状光源の長手方向他端側に延設されるサイドライト側バックライト装置において、導光板は、入光面から離れるに従って板厚が薄くなるように傾斜した裏面を有するとともに、板厚が薄くなるに従って導光板裏面の下方空間が大きくなるように配置され、電線は、入光面から間隔を置いた状態で導光板の裏面側を通って線状光源の長手方向他端側へ延設されると共に、導光板が薄くなるに従って大きくなる導光板下方空間内に位置して少なくとも電線の一部が入光面である導光板側端面の下縁より上方に位置しているものが開示されている。そして、これによれば、線状光源に接続される電線としてシート状配線を用いなくとも小型化を図ることができる、と記載されている。
【特許文献１】特開２００２−１５０８２３号公報
【発明の開示】
【発明が解決しようとする課題】
【０００４】
図１０〜１２は、液晶表示装置Ｄ’、或いは、バックライトユニット１０’の構造を示す。
【０００５】
一般に、液晶表示装置Ｄ’では、液晶表示パネル２０’とその後方に設けられたバックライトユニット１０’とを備えている。バックライトユニット１０’は、細長のランプ１１’が側方に開口した断面コの字状のリフレクタ１２’に収容され、そのリフレクタ１２’の開口側に導光板１３’が設けられた構成となっている。また、ランプ１１’の両端のそれぞれにはゴム製の弾性ホルダ１４’が取り付けられており、それがリフレクタ１２’の端部に一部分がリフレクタ１２’の端から突出するように設けられ、そして、ランプ１１’両端に設けられたそれらの弾性ホルダ１４’によってランプ１１’がリフレクタ１２’に保持されている。さらに、リフレクタ１２’の外側を長さ方向に沿って延びるように設けられた高圧用リード線１６’が一方の弾性ホルダ１４’のリフレクタ１２’の端から突出した部分１４ａ’に挿通されてランプ１１’に電気的に接続され、同様に設けられた低圧用リード線１７’が他方の弾性ホルダのリフレクタ１２’の端から突出した部分に挿通されてランプ１１’に電気的に接続されている。
【０００６】
ところで、バックライトユニット１０’及び液晶表示装置Ｄ’の小型化を図るために、ランプ１１’の両端のいずれに接続されたリード線１６’，１７’も、リフレクタ１２’の外側を長さ方向に沿って延びるように設けられる。具体的には、リード線１６’，１７’は、例えば、図１０（ａ）に示すように、リフレクタ１２’の上面外側、つまり、液晶表示パネル取付側に設けられる。その他に、図１０（ｂ）に示すように、リフレクタ１２’の開口と反対側の側面外側に設けられたり、また、図１０（ｃ）に示すように、リフレクタ１２’の下面外側に設けられたりしたものもあるが、図１０（ａ）に示すものでは、そのリード線１６’，１７’がシャーシ２３’に収容されるので、図１０（ａ）〜（ｃ）を比較してもわかるように、液晶表示装置Ｄ’の小型化をより有効に図ることができる。そして、リフレクタ１２’の外側に設けられたリード線１６’，１７’は、それに続いて弾性ホルダ１４’のリフレクタ１２’の端から突出した部分に挿通されてランプ１１’に電気的に接続される。
【０００７】
ところが、以上のような構成であると、図１２（ａ）に示すように、リード線１６’，１７’がリフレクタ１２’の端に接触し、それによってリード線１６’，１７’の被覆材が損傷を受けて芯線が露出してしまうことがある。リフレクタ１２’は一般的に金属製であるため、リード線１６’，１７’の露出した芯線がリフレクタ１２’に接触すると、ショートを起こし、バックライトユニット１０’の点灯不良が発生するという問題がある。
【０００８】
この問題に対しては、図１２（ｂ）に示すように、リフレクタ１２’の端に絶縁テープ３０’を貼ることにより解消することも考えられるが、それでは絶縁テープ３０’及びそれを貼る作業によるコストアップを招くこととなる。
【０００９】
本発明は、かかる点に鑑みてなされたものであり、その目的とするところは、リード線がリフレクタの端に接触して損傷を受けるのを防止することができるバックライトユニット及びそれを備えた液晶表示装置を提供することにある。
【課題を解決するための手段】
【００１０】
上記目的を達成する本発明は、
細長のランプと、
上記ランプを収容するように設けられた細長で且つ側方に開口した断面コの字状のリフレクタと、
上記ランプの一端に取り付けられると共に上記リフレクタの端部に一部分が該リフレクタの端から突出するように設けられて該ランプを該リフレクタに保持した弾性ホルダと、
上記リフレクタの外側を長さ方向に沿って延びるように設けられるのに続いて上記弾性ホルダの該リフレクタの端から突出した部分に挿通されて上記ランプに電気的に接続されたリード線と、
を備え、
上記弾性ホルダには、上記リード線の上記リフレクタの端への接触を阻止するリード線接触阻止手段が設けられている液晶表示装置用のバックライトユニットである。
【００１１】
上記の構成によれば、弾性ホルダにリード線のリフレクタの端への接触を阻止するリード線接触阻止手段が設けられているので、リード線がリフレクタの端に接触して被覆材が損傷を受けるのを防止することができる。従って、これにより、上記のリード線の被覆材の損傷を原因として芯線が露出し、それがリフレクタに接触してショートを起こすことによるバックライトユニットの点灯不良を防止することができる。また、リード線のリフレクタの端への接触を阻止するための絶縁テープのような独立した部材及びそれを設けるための作業工程が不要であるので、そのような独立した部材を設けた場合に生じるようなコストアップが防止される。
【００１２】
上記リード線接触阻止手段の具体的構成としては、例えば、上記弾性ホルダに立設され上記リード線に押圧されて上記リフレクタの端部を覆うように弾性変形したリード線接触阻止壁や上記弾性ホルダに形成されたリフレクタ端部嵌合部を挙げることができる。
【００１３】
本発明のバックライトユニットは、液晶表示パネルの後方に設けられて液晶表示装置を構成する。
【発明の効果】
【００１４】
本発明によれば、弾性ホルダにリード線のリフレクタの端への接触を阻止するリード線接触阻止手段が設けられているので、リード線がリフレクタの端に接触して被覆材が損傷を受けるのを防止することができる。
【発明を実施するための最良の形態】
【００１５】
以下、本発明の実施形態を図面に基づいて詳細に説明する。
【００１６】
（実施形態１）
図１〜３は、本発明の実施形態１に係る液晶表示装置用のバックライトユニット１０である。
【００１７】
このバックライトユニット１０は、ランプ１１とそれを収容するように設けられたリフレクタ１２とを備えている。
【００１８】
ランプ１１は、細長円筒状に形成されており、例えば、冷陰極蛍光管や熱陰極蛍光管等で構成されている。
【００１９】
リフレクタ１２は、金属製であり、ランプ１１よりも長尺の細長で且つ側方に開口した断面コの字状に形成されている。
【００２０】
リフレクタ１２の開口側には、その開口に対峙するように入射側面が配置された導光板１３が設けられている。導光板１３は、アクリル樹脂等の樹脂製であり、平板状や楔形状に形成されている。また、導光板１３の後方面には、反射板が設けられている。
【００２１】
ランプ１１の両端のそれぞれには、弾性ホルダ１４が取り付けられている。各弾性ホルダ１４は、リフレクタ１２の端部に一部分がリフレクタ１２の端から突出するように設けられいる。そして、このようにして設けられた両弾性ホルダ１４によりランプ１１がリフレクタ１２に保持されている。
【００２２】
各弾性ホルダ１４は、ゴムやウレタンなどの弾性を有する材料からなり、図４（ａ）及び（ｂ）に示すように、直方体のブロック状に形成されている。各弾性ホルダ１４には、リフレクタ１２の端からの突出部分１４ａの上面側にリード線挿通孔１４ｂが形成されている。また、各弾性ホルダ１４のリード線挿通孔１４ｂの周縁のリフレクタ１２側には、断面厚肉弧状のリード線接触阻止壁１４ｃが一体に設けられている。
【００２３】
バックライトユニット１０は、ユニット側方に張り出した電力供給用のランプコネクタ１５を備えている。そのランプコネクタ１５からは、各々、芯線が被覆材で被覆された太径の高圧用リード線１６及び細径の低圧用リード線１７が延びている。高圧用リード線１６は、ランプコネクタ１５からリフレクタ１２の上面外側に延び、一方に屈曲してリフレクタ１２の上面上を這うように長さ方向に沿って延び、続いて弾性ホルダ１４のリード線挿通孔１４ｂに挿通されてランプ１１の一端に電気的に接続されている。低圧用リード線１７は、ランプコネクタ１５から高圧用リード線１６と並行してリフレクタ１２の上面外側に延び、高圧用リード線１６とは逆の他方に屈曲してリフレクタ１２の上面上を這うように長さ方向に沿って延び、続いて弾性ホルダ１４のリード線挿通孔１４ｂに挿通されてランプ１１の他端に電気的に接続されている。
【００２４】
高圧用リード線１６及び低圧用リード線１７はいずれも、弾性ホルダ１４に立設されたリード線接触阻止壁１４ｃを押圧してリフレクタ１２側に傾斜させるように弾性変形させると共にリード線接触阻止壁１４ｃの内側凹部にガイドされている。そして、弾性変形したリード線接触阻止壁１４ｃは、リフレクタ１２の端部を覆うように位置付けられ、それによって高圧用リード線１６、或いは、低圧用リード線１７とリフレクタ１２の端との接触を阻止する。
【００２５】
このような断面厚肉弧状のリード線接触阻止壁１４ｃは、弾性変形容易であるためにはその広がりが小さい方がよい一方、リード線のリフレクタ１２の端部への接触を阻止するためにはその広がりが大きい方がよいことから、図５（ａ）及び（ｂ）に示すように、その広がり、つまり、弧の中心角が最小で９０、最大で１８０°であるのが好ましい。
【００２６】
以上のような構成のバックライトユニット１０によれば、弾性ホルダ１４に高圧用リード線１６、或いは、低圧用リード線１７のリフレクタ１２の端への接触を阻止するリード線接触阻止壁１４ｃが設けられているので、高圧用リード線１６、或いは、低圧用リード線１７がリフレクタ１２の端に接触して被覆材が損傷を受けるのを防止することができる。従って、これにより、高圧用リード線１６、或いは、低圧用リード線１７の被覆材の損傷を原因として芯線が露出し、それがリフレクタ１２に接触してショートを起こすことによる点灯不良を防止することができる。
【００２７】
また、高圧用リード線１６、或いは、低圧用リード線１７のリフレクタ１２の端への接触を阻止するための絶縁テープのような独立した部材及びそれを設けるための作業工程が不要であるので、そのような独立した部材を設けた場合に生じるようなコストアップが防止される。
【００２８】
このバックライトユニット１０は、液晶表示パネル２０と組み合わされて液晶表示装置Ｄを構成する。
【００２９】
図６は、液晶表示装置Ｄを示す。
【００３０】
この液晶表示装置Ｄは、上記バックライトユニット１０が液晶表示パネル２０の後方に設けられた構成となっている。
【００３１】
液晶表示パネル２０は、一対の基板２１間に液晶層が設けられ、両基板２１のそれぞれの外側に偏光板２２が貼設された構成となっている。また、液晶表示パネル２０は、バックライトユニット１０の構成部品である枠状のシャーシ２３に固定されている。シャーシ２３のリフレクタ１２の上面に固定された部分にはリード線収容溝２３ａが形成されており、そこに高圧用リード線１６及び低圧用リード線１７が収容されている。このように、シャーシ２３に形成されたリード線収容溝２３ａに高圧用リード線１６及び低圧用リード線１７が収容された構成では、弾性ホルダ１４の近傍で高圧用リード線１６や低圧用リード線１７がリフレクタ１２とシャーシ２３との間に挟まれて損傷を受けることがあるが、このバックライトユニット１０では、高圧用リード線１６及び低圧用リード線１７のそれぞれがリード線接触阻止壁１４ｃの内側凹部でガイドされているので、高圧用リード線１６、或いは、低圧用リード線１７のかかる損傷が防止される。
【００３２】
液晶表示パネル２０とバックライトユニット１０の導光板１３との間には、レンズシート２４ａを一対の拡散シート２４ｂで狭持して構成された光学シート２４が設けられている。
【００３３】
以上のように一体化された液晶表示パネル２０及びバックライトユニット１０がケーシング２５に収容されて液晶表示装置Ｄが構成されている。
【００３４】
（実施形態２）
図７及び８は、本発明の実施形態２に係るバックライトユニット１０を示す。なお、実施形態１と同一名称の部分は実施形態１のものと同一符号で示す。
【００３５】
このバックライトユニット１０では、各弾性ホルダ１４は、図９（ａ）及び（ｂ）に示すように、リード線挿通孔１４ｂの周縁に断面競技用トラック形状に隆起した突部１４ｄが形成されており、その突部１４ｄのリフレクタ１２側の基端部に横方向に形成された切れ込みがリフレクタ端部嵌合部１４ｅに構成されている。そして、各弾性ホルダ１４は、そのリフレクタ端部嵌合部１４ｅに端部が嵌合するようにリフレクタ１２に設けられている。
【００３６】
高圧用リード線１６及び低圧用リード線１７はいずれも、リフレクタ１２からその端部が嵌合した弾性ホルダ１４の突部１４ｄの上に載り、それに続いてリード線挿通孔１４ｂに挿通される。従って、弾性ホルダ１４に形成されたリフレクタ端部嵌合部１４ｅにより、高圧用リード線１６、或いは、低圧用リード線１７のリフレクタ１２の端への接触が阻止される。
【００３７】
その他の構成は実施形態１のものと同一である。
【００３８】
以上のような構成のバックライトユニット１０によれば、弾性ホルダ１４に形成されたリフレクタ端部嵌合部１４ｅにリフレクタ１２の端部が嵌合し、高圧用リード線１６、或いは、低圧用リード線１７のリフレクタ１２の端への接触が阻止されるので、高圧用リード線１６、或いは、低圧用リード線１７がリフレクタ１２の端に接触して被覆材が損傷を受けるのを防止することができる。従って、これにより、高圧用リード線１６、或いは、低圧用リード線１７の被覆材の損傷を原因として芯線が露出し、それがリフレクタ１２に接触してショートを起こすことによる点灯不良を防止することができる。
【００３９】
その他の作用効果及び液晶表示装置Ｄの構成は実施形態１と同一である。
【００４０】
（その他の実施形態）
上記実施形態１ではリード線接触阻止壁１４ｃにより、また、実施形態２ではリフレクタ端部嵌合部１４ｅにより、それぞれリード線接触阻止手段を構成したが、特にこれに限定されるものではなく、高圧用リード線１６、或いは、低圧用リード線１７とリフレクタ１２の端部との接触を阻止するものであれば何でもよく、例えば、高圧用リード線１６、或いは、低圧用リード線１７がリフレクタ１２の端部を乗り越えるように、弾性ホルダ１４とリフレクタ１２との境界部近傍に立設した剛体壁により構成してもよい。
【００４１】
また、上記実施形態１及び２では、高圧用リード線１６及び低圧用リード線１７がリフレクタ１２の上面外側に設けられた構成としたが、特にこれに限定されるものではなく、リフレクタ１２の開口と反対側の側面外側に設けられたり、リフレクタ１２の下面外側に設けられたものであってもよい。
【産業上の利用可能性】
【００４２】
本発明は、バックライトユニット及びそれを備えた液晶表示装置について有用である。
【図面の簡単な説明】
【００４３】
【図１】実施形態１のバックライトユニットの部分的な平面図である。
【図２】図１におけるII-II断面図である。
【図３】図１におけるIII-III断面図である。
【図４】実施形態１の弾性ホルダの（ａ）上面図及び（ｂ）側面図である。
【図５】弾性ホルダのリード線接触阻止壁の大きさを説明するための説明図である。
【図６】実施形態１の液晶表示装置の図２に対応した断面図である。
【図７】実施形態２のバックライトユニットの部分的な平面図である。
【図８】図７におけるVIII-VIII断面図である。
【図９】実施形態２の弾性ホルダの（ａ）上面図及び（ｂ）側面図である。
【図１０】従来の液晶表示装置の図６に対応した断面図である。
【図１１】従来のバックライトユニットの部分的な平面図である。
【図１２】図１１におけるXII-XII断面図である。
【符号の説明】
【００４４】
Ｄ  液晶表示装置
１０  バックライトユニット
１１  ランプ
１２  リフレクタ
１４  弾性ホルダ
１４ａ  突出部分
１４ｃ  リード線接触阻止壁
１４ｅリフレクタ端部嵌合部
１６  高圧用リード線
１７  低圧用リード線
２０  液晶表示パネル
【図１】
2006302564.tif 000003
【図２】
2006302564.tif 000004
【図３】
2006302564.tif 000005
【図４】
2006302564.tif 000006
【図５】
2006302564.tif 000007
【図６】
2006302564.tif 000008
【図７】
2006302564.tif 000009
【図８】
2006302564.tif 000010
【図９】
2006302564.tif 000011
【図１０】
2006302564.tif 000012
【図１１】
2006302564.tif 000013
【図１２】
2006302564.tif 000014